(57)【要約】【課題】接続されたＩＦケーブル長が不明であっても、長距離のＩＦケーブルを使用する。【課題を解決するための手段】映像、音声を無線伝送する伝送装置において、高周波部と制御部を同軸ケーブルで接続し、前記制御部に前記同軸ケーブルには、公称電圧３６Ｖｄｃ以下の直流電圧と公称電圧４８Ｖｄｃ以上の直流電圧とを重畳する手段と識別信号送受信手段とを有し、前記高周波部には、直流電圧を分離する手段と識別送受信手段とを有し、起動時に、前記制御部から公称電圧３６Ｖｄｃ以下の直流電圧を前記同軸ケーブルに重畳し、前記制御部から前記高周波部に識別信号を送信し、前記高周波部から前記制御部に識別信号を返信し、該識別信号の返信までの遅延が所定時間以上で、該識別信号が前記制御部の識別信号と一致したならば、前記制御部は公称電圧４８Ｖｄｃ以上の直流電圧を同軸ケーブルに重畳する。【選択図】図１
2011188351.tif 000002
【特許請求の範囲】
【請求項１】
映像、音声を無線伝送する伝送装置において、高周波部と制御部を同軸ケーブルで接続し、前記制御部に前記同軸ケーブルには、公称電圧３６Ｖｄｃ以下の直流電圧と公称電圧４８Ｖｄｃ以上の直流電圧とを重畳する手段と識別信号送受信手段とを有し、前記高周波部には、直流電圧を分離する手段と識別送受信手段とを有し、起動時に、前記制御部から公称電圧３６Ｖｄｃ以下の直流電圧を前記同軸ケーブルに重畳し、前記制御部から前記高周波部に識別信号を送信し、前記高周波部から前記制御部に識別信号を返信し、該識別信号の返信までの遅延が所定時間以上で、該識別信号が前記制御部の識別信号と一致したならば、前記制御部は公称電圧４８Ｖｄｃ以上の直流電圧を同軸ケーブルに重畳することを特徴とした伝送装置。
【発明の詳細な説明】
【技術分野】
【０００１】
本発明は、映像信号または音声信号またはデータを伝送する伝送システムの伝送装置に関する。
【背景技術】
【０００２】
テレビ放送においては、ニュース報道やマラソン中継など中継現場から放送局にテレビジョン信号を伝送するために、ＦＰＵ（Field-Pickup-Unit）と呼ばれる可搬型の中継装置やＴＳＬ（Transmitter-Studio-Link）と呼ばれる伝送装置が用いられる。ＦＰＵからの信号は山頂等に設置されているＦＰＵ基地局で受信され、ＦＰＵ基地局からはＴＳＬ装置と呼ばれる固定回線を使って、放送局まで伝送されるのが一般的である。ＦＰＵは、送信制御部、送信高周波部、受信制御部、受信高周波部で構成されるのが一般的である。
【０００３】
従来、ＦＰＵ機器を用いたシステムにおいて、映像信号または音声信号またはデータを送信制御部で変調し周波数変換された中間（Intermediate-Frequency：ＩＦ）信号を同軸ケーブルで送信高周波部に伝送し、送信高周波部で高周波に変換しアンテナから送信する。アンテナで受信した高周波は受信高周波部でＩＦ信号に変換し同軸ケーブルで受信制御部に伝送し、受信制御部で映像信号または音声信号またはデータに復調する。また、制御部で直流電圧を同軸ケーブルに重畳し、伝送された高周波部で直流電圧に分離し、電圧変換し高周波部の電源に用いている。
直流電圧の電圧降下により制御部と高周波部を接続する同軸ケーブル長を長距離化することが困難である。その対応として、従来技術では、あらかじめ、同軸ケーブル長が判っていれば、ケーブルコンペン機能を用いたり、電圧降下を計算し、供給電圧を上昇させておくなどの処置が考えられている。
【０００４】
また、ＩＥＣ６０９５０−１規格から４２．４Ｖｐｅａｋ以下または６０Ｖｄｃ以下はユーザーがふれることができる安全な電圧とされている。バッテリ電圧としては変動範囲約３３Ｖｄｃから５１Ｖｄｃの公称電圧３６Ｖｄｃ以下が安全な電圧とされていて、バッテリ電圧としては変動範囲約４４Ｖｄｃから６８Ｖｄｃの公称電圧４８Ｖｄｃ以上は危険な電圧とされている。
そのため、一般的には、同軸ケーブルに重畳する電圧は公称電圧３６Ｖｄｃが用いられている。
【先行技術文献】
【特許文献】
【０００５】
【特許文献１】特開平４−４５６７５号公報
【発明の概要】
【発明が解決しようとする課題】
【０００６】
上述の従来技術では、同軸ケーブル長を把握しておく必要がある。
接続された同軸ケーブル長が不明であっても、長距離の同軸ケーブルを高周波部と制御部との接続に使用する事が本発明の目的である。
【課題を解決するための手段】
【０００７】
本発明は上記目的のために、映像、音声を無線伝送する伝送装置において、高周波部と制御部を同軸ケーブルで接続し、前記制御部に前記同軸ケーブルには、公称電圧３６Ｖｄｃ以下の直流電圧と公称電圧４８Ｖｄｃ以上の直流電圧とを重畳する手段と識別信号送受信手段とを有し、前記高周波部には、直流電圧を分離する手段と識別送受信手段とを有し、起動時に、前記制御部から公称電圧３６Ｖｄｃ以下の直流電圧を前記同軸ケーブルに重畳し、前記制御部から前記高周波部に識別信号を送信し、前記高周波部から前記制御部に識別信号を返信し、該識別信号の返信までの遅延が所定時間以上で、該識別信号が前記制御部の識別信号と一致したならば、前記制御部は公称電圧４８Ｖｄｃ以上の直流電圧を同軸ケーブルに重畳することを特徴とした伝送装置である。
【発明の効果】
【０００８】
本発明によれば、接続された同軸ケーブル長が不明であっても、長距離の同軸ケーブルを制御部から高周波部への接続に使用する事が可能となる。
【図面の簡単な説明】
【０００９】
【図１】本発明の一実施例の伝送システムの全体構成を示すブロック図
【図２】本発明の一実施例の重畳直流電圧制御方法の模式図
【図３】本発明の別の一実施例の重畳直流電圧制御方法の模式図
【発明を実施するための形態】
【実施例１】
【００１０】
本発明の一実施例について図１を用いて説明する。
図１は本発明の一実施例の伝送システムの全体構成を示すブロック図であり、図２は本発明の重畳直流電圧制御方法の模式図であり、図３は本発明の別の一実施例の重畳直流電圧制御方法の模式図である。
【００１１】
本発明の一実施例の伝送システムの全体構成を示すブロック図の図１において、制御部101は制御部ＣＰＵ102を有し、高周波部103は高周波部ＣＰＵ104を有している。また、制御部101と高周波部103は中間（Intermediate-Frequency：ＩＦ）信号を伝送する同軸ケーブル（以下ＩＦケーブル）105で接続し、制御部101にＩＦケーブル105に公称電圧３６Ｖｄｃ以下の直流電圧と公称電圧４８Ｖｄｃ以上の直流電圧とを重畳する手段と通信信号送受信手段とを有し、ＩＦケーブル105には、ＩＦおよび通信信号（重畳）106と直流電圧（重畳）107を重畳し伝送する。また、高周波部103には公称電圧３６Ｖｄｃ以下の直流電圧でも公称電圧４８Ｖｄｃ以上の直流電圧でも安定に分離する手段と通信信号送受信手段とを有し、パラボラアンテナ108、一次放射器109を取り付ける。
【００１２】
本発明の重畳直流電圧制御方法の模式図の図２において、制御部201は制御部ＣＰＵ202を有し、高周波部203は高周波部ＣＰＵ204を有している。また、制御部201と高周波部203はＩＦケーブル205で接続し、ＩＦケーブル205には、ＩＦおよび通信信号（重畳）206と直流電圧（重畳）207を重畳し伝送する。制御部201からＩＦおよび信号（重畳）206と直流電圧（重畳）207と共に、ＩＦケーブル205に、任意パルス208も重畳して伝送し、高周波部203で反射し、送り帰ってきたパルスを受け取り、時間差209を算出し、ケーブル長を特定して供給電圧を制御する。任意パルス208は通信信号でも良く、この双方の通信信号に識別信号をいれておく。制御部と高周波部との通信が成立すれば、制御部の識別信号と高周波部の識別信号の一致を確認することができる。
【００１３】
起動時、制御部から感電する危険の少ない公称電圧３６Ｖｄｃ以下の直流電圧を同軸ケーブルに重畳し、制御部から高周波部に識別信号として通信信号を送信し高周波部から制御部に識別信号として通信信号を返信する。該識別信号の返信までの遅延が所定時間以上であれば長いＩＦケーブルが接続されていると判定する。高周波部から制御部に通信が成立し、通信信号内の識別信号が制御部と高周波部とで一致すれば、ＤＣ３６Ｖ以下の直流電圧でもＤＣ４８Ｖ以上の直流電圧でも安定に分離する手段を有する高周波部とみなし、制御部は感電する危険の多い公称電圧４８Ｖｄｃ以上の直流電圧を同軸ケーブルに重畳する。
【００１４】
その結果、ＩＦケーブルが長く、ＩＦケーブルの損失により電圧降下が１２Ｖ起きても、高周波部に到達する電圧は公称電圧３６Ｖｄｃ程度と高く、高周波部は安定に動作する。また、高周波部の消費電力が低下し、高周波部に到達する電圧が公称電圧４８Ｖｄｃ以上でも、高周波部は安定に動作する。
【実施例２】
【００１５】
本発明の別の一実施例の重畳直流電圧制御方法の模式図の図３において、制御部301は制御部ＣＰＵ302を有し、高周波部303は高周波部ＣＰＵ304を有している。また、制御部301と高周波部303はＩＦケーブル305で接続し、ＩＦケーブル305には、ＩＦおよび通信信号（重畳）306と直流電圧（重畳）307を重畳し伝送する。高周波部303に供給される直流電圧（重畳）307の電圧値を検知し、供給される直流電圧（重畳）307が定格となるよう、相互間の通信手段を用いて、高周波部303から制御部301へ制御信号を発信し、ＩＦケーブル305に重畳している直流電圧（重畳）307を制御することにより、ＩＦケーブル長に応じて重畳する直流電圧（重畳）307を制御する供給電圧を制御する。
【符号の説明】
【００１６】
１０１…制御部
１０２…制御部ＣＰＵ
１０３…高周波部
１０４…高周波部ＣＰＵ
１０５…ＩＦケーブル
１０６…ＩＦおよび通信信号（重畳）
１０７…直流電圧（重畳）
１０８…パラボラアンテナ
１０９…一次放射器
２０１…制御部
２０２…制御部ＣＰＵ
２０３…高周波部
２０４…高周波部ＣＰＵ
２０５…ＩＦケーブル
２０６…ＩＦおよび通信信号（重畳）
２０７…直流電圧（重畳）
２０８…任意パルス
２０９…時間差
３０１…制御部
３０２…制御部ＣＰＵ
３０３…高周波部
３０４…高周波部ＣＰＵ
３０５…ＩＦケーブル
３０６…ＩＦおよび通信信号（重畳）
３０７…直流電圧（重畳）
【図１】
2011188351.tif 000003
【図２】
2011188351.tif 000004
【図３】
2011188351.tif 000005